(57)【要約】      （修正有）【課題】運転者と乗員の双方にとって、簡単にティッシュを取り出すことのできる車用ティッシュボックス取付具及び車用ティッシュボックス設置装置を提供する。【解決手段】自動車シートのシートバックとヘッドレストとの間に取り付けられ、且つ挿通部２１を有するティッシュボックス２０を装設するために用いられる、車用ティッシュボックス取付具であって、固定部１０ａと接続部１２ａを備え、前記固定部は、間隔で配列される二つの取付穴１１を含み、該二つの取付穴は前記ヘッドレストのステーを挿通させるために用いられ、前記接続部は、前記固定部の一端に設けられ、前記ティッシュボックスの挿通部を挿設して固定するために用いられることを特徴とする。【選択図】図１
0003232238.tif 000002
【実用新案登録請求の範囲】
【請求項１】
自動車シートのシートバックとヘッドレストとの間に取り付けられ、且つ挿通部を有するティッシュボックスを装設するために用いられる、車用ティッシュボックス取付具であって、固定部と接続部を備え、
前記固定部は、間隔で配列される二つの取付穴を含み、該二つの取付穴は前記ヘッドレストのステーを挿通させるために用いられ、
前記接続部は、前記固定部の一端に設けられ、前記ティッシュボックスの挿通部を挿設して固定するために用いられることを特徴とする車用ティッシュボックス取付具。
【請求項２】
請求項１に記載の車用ティッシュボックス取付具において、前記固定部及び接続部は、互いに平行するように、一体に形成される構造体であることを特徴とする車用ティッシュボックス取付具。
【請求項３】
請求項１に記載の車用ティッシュボックス取付具において、前記固定部及び接続部は、互いに傾斜するように、一体に形成される構造体であることを特徴とする車用ティッシュボックス取付具。
【請求項４】
請求項１に記載の車用ティッシュボックス取付具において、前記固定部と接続部との間に、ヒンジが設置され、該固定部と接続部とは、該ヒンジを介して枢動可能に連結されることを特徴とする車用ティッシュボックス取付具。
【請求項５】
請求項１から請求項４のいずれか１項に記載の車用ティッシュボックス取付具において、前記接続部上に滑り止め構造が設けられ、該滑り止め構造は、前記接続部における相対する両側辺上に間隔を置いて突出するように形成される複数の滑り止めユニットを含むことを特徴とする車用ティッシュボックス取付具。
【請求項６】
請求項５に記載の車用ティッシュボックス取付具において、前記滑り止め構造は、前記接続部の表面に形成される複数の凸条或は複数の凸起を有することを特徴とする車用ティッシュボックス取付具。
【請求項７】
請求項１から請求項４のいずれか１項に記載の車用ティッシュボックス取付具において、前記接続部における前記固定部が設置される一端の反対端に、フック状のストッパーが設けられ、該ストッパーは、前記ティッシュボックスの挿通部の抜け防止のために用いられることを特徴とする車用ティッシュボックス取付具。
【請求項８】
請求項１から請求項４のいずれか１項に記載の車用ティッシュボックス取付具において、前記固定部の取付穴が、長穴形状に形成されることを特徴とする車用ティッシュボックス取付具。
【請求項９】
車用ティッシュボックス設置装置であって、
請求項１に記載の車用ティッシュボックス取付具と、ティッシュボックスとを備え、
前記ティッシュボックスは、ティッシュを収容するために用いられると共に、挿通部を有し、該挿通部は、前記車用ティッシュボックス取付具の接続部上に挿設されるために用いられることを特徴とする車用ティッシュボックス設置装置。
【考案の詳細な説明】
【技術分野】
【０００１】
本考案は、車用ティッシュボックスの取付具及び設置装置に関し、特に、自動車シートのシートバックとヘッドレストとの間に取り付けられる、車用ティッシュボックス取付具及び車用ティッシュボックス設置装置に関するものである。
【背景技術】
【０００２】
車用ティッシュボックスが自動車の助手席前方のグローブボックス内や、後部座席とリヤウインドウとの間の空間に置かれるのが一般的であり、運転者がティッシュを使いたい時に、同乗者に頼んで取ってもらうか、又は自分で手を伸ばして座席を横切って取るか、いずれにしても不便を感じるので、ティッシュを取り出す際に、運転者及び同乗者にとって面倒である。
【０００３】
従って、既に吊り下げ式車用ティッシュボックスが市販されており、このような車用ティッシュボックスは、運転席や助手席のヘッドレストに吊るされることにより、ティッシュボックスと運転者や乗員間の距離の短縮を図ったが、車内に運転者しかいない場合、運転者はシートの後ろに手を伸ばす必要があるので、不便である。市販品の内マグネット式ティッシュボックスもあり、このようなティッシュボックスは、内にマグネットが装着されていることから、車内の天井に磁気吸着することができるが、一部の車は、断熱性や遮音性を向上させるために、ルーフと天井内張りの間に、断熱材や防音材が厚めに敷かれており、これにより、マグネットとルーフの鋼板の間の距離が増大し、磁気吸着力が弱くなり、市販のマグネット式ティッシュボックスは、簡単に落ちたり、ずれたりする可能性があり、また、天井に吸着することができない問題もあるので、改善する必要がある。
【考案の概要】
【考案が解決しようとする課題】
【０００４】
本考案は、前記従来技術の欠点に鑑みてなされたものであり、運転者と乗員の双方にとって、簡単にティッシュを取り出すことのできる車用ティッシュボックス取付具及び車用ティッシュボックス設置装置を提供することを目的としている。
【課題を解決するための手段】
【０００５】
上記目的を達成するために、本考案は、自動車シートのシートバックとヘッドレストとの間に取り付けられ、且つ挿通部を有するティッシュボックスを装設するために用いられる、車用ティッシュボックス取付具であって、固定部と接続部を備え、
前記固定部は、間隔で配列される二つの取付穴を含み、該二つの取付穴は前記ヘッドレストのステーを挿設させるために用いられ、
前記接続部は、前記固定部の一端に設けられ、前記ティッシュボックスの挿通部を挿設して固定するために用いられることを特徴とする。
【０００６】
前記車用ティッシュボックス取付具において、前記固定部及び接続部は、互いに平行或は傾斜するように、一体に形成される構造体であり、また、該固定部と接続部との間に、ヒンジが設置され、該固定部と接続部とは、該ヒンジを介して、枢動可能に連結されることを特徴とする。
【０００７】
上記目的を達成するために、本考案はさらに、車用ティッシュボックス設置装置を提案しており、該車用ティッシュボックス設置装置は、車用ティッシュボックス取付具と、ティッシュボックスとを備え、
前記ティッシュボックスは、ティッシュを収容するために用いられると共に、挿通部を有し、該挿通部が、前記車用ティッシュボックス取付具の接続部上に装設されるために用いられることを特徴とする。
【考案の効果】
【０００８】
本考案に係る車用ティッシュボックス設置装置は、ヘッドレストのステーが固定部の取付穴に挿設されることによって座席のシートバックとヘッドレストとの間に固定されている車用ティッシュボックス取付具と、該車用ティッシュボックス取付具の接続部上に挿設されている、ティッシュを収容するティッシュボックスとを介して、運転席と助手席との間に設置されることができ、これにより、運転者と乗員の双方がティッシュを取り出す時の便利さを向上させることができる。
【図面の簡単な説明】
【０００９】
【図１】本考案に係る車用ティッシュボックス取付具の第１実施形態において、ティッシュボックスとの分解斜視図である。
【図２】本考案に係る車用ティッシュボックス取付具の第１実施形態の斜視図である。
【図３】本考案に係る車用ティッシュボックス取付具の第２実施形態において、ティッシュボックスとの分解斜視図である。
【図４】本考案に係る車用ティッシュボックス取付具の第２実施形態を斜め下から見た斜視図である。
【図５】本考案に係る車用ティッシュボックス取付具の第３実施形態において、ティッシュボックスとの分解斜視図である。
【図６】本考案に係る車用ティッシュボックス取付具の第３実施形態の斜視図である。
【図７】本考案に係る車用ティッシュボックス取付具の第４実施形態において、ティッシュボックスとの分解斜視図である。
【図８】本考案に係る車用ティッシュボックス取付具の第４実施形態の斜視図である。
【図９】本考案に係る車用ティッシュボックス設置装置の第１実施形態において、ティッシュボックスが上向きに設置されている状態を示す模式図である。
【図１０】本考案に係る車用ティッシュボックス設置装置の第１実施形態において、ティッシュボックスが下向きに設置されている状態を示す模式図である。
【図１１】本考案に係る車用ティッシュボックス設置装置の第２実施形態において、ティッシュボックスが接続部に装設されている状態を示す模式図である。
【図１２】本考案に係る車用ティッシュボックス設置装置の第２実施形態において、接続部が上向きに設置されている状態を示す模式図である。
【図１３】本考案に係る車用ティッシュボックス設置装置の第２実施形態において、接続部が下向きに設置されている状態を示す模式図である。
【図１４】本考案に係る車用ティッシュボックス設置装置の第３実施形態における使用状態を示す模式図である。
【図１５】本考案に係る車用ティッシュボックス設置装置の第４実施形態における使用状態を示す模式図である。
【考案を実施するための形態】
【００１０】
図１〜図８は、本考案に係る車用ティッシュボックス取付具の複数の実施形態を示すものである。図９、図１２、図１４、図１５に示すように、前記車用ティッシュボックス取付具は、自動車シートのシートバック３０とヘッドレスト３１との間に取り付けられて、挿通部２１を有するティッシュボックス２０を挿設するために用いられると共に、固定部１０ａ〜１０ｄと接続部１２ａ〜１２ｄを備える。
【００１１】
図９、図１２、図１４、図１５に示すように、前記固定部１０ａ〜１０ｄは、間隔で配列される二つの取付穴１１を含み、該二つの取付穴１１は、前記ヘッドレスト３１のステー３１１を挿通させるために用いられる。尚、図２、図４、図６、図８に示すように、前記前記固定部１０ａ〜１０ｄの取付穴１１が、長穴形状に形成される。
【００１２】
図１〜図８に示すように、前記接続部１２ａ〜１２ｄは、前記固定部１０ａ〜１０ｄの一端に設けられ、前記ティッシュボックス２０の挿通部２１を挿設して固定するために用いられ、該接続部１２ａ〜１２ｄ上に滑り止め構造１３が設けられ、該滑り止め構造１３は、前記接続部１２ａ〜１２ｄにおける相対する両側辺に間隔を置いて突出するように形成される複数の滑り止めユニット１３１を含み、また、該滑り止め構造１３は、前記接続部１２ａ〜１２ｄの表面に形成される複数の凸条１３２或は複数の凸起１３３を有する。
【００１３】
本考案の車用ティッシュボックス取付具は、前記固定部１０ａ〜１０ｄ及び接続部１２ａ〜１２ｄの構成形態、及び前記ティッシュボックス２０の固定手段に応じて、多様な実施形態が提供される。例えば、図１、図２は、本考案の車用ティッシュボックス取付具の第１実施形態を示すものであって、該車用ティッシュボックス取付具の固定部１０ａ及び接続部１２ａは、一体に形成される構造体であって、互いに平行している。
【００１４】
図３、図４は、本考案の車用ティッシュボックス取付具の第２実施形態を示すものであって、該車用ティッシュボックス取付具の固定部１０ｂ及び接続部１２ｂは、一体に形成される構造体であって、接続部１２ｂが、該固定部１０ｂに対して傾斜するように配置され、また、該車用ティッシュボックス取付具の固定部１０ｂと接続部１２ｂとの連結箇所の連結強度を高めるために、複数の補強リブ１４が設けられる。
【００１５】
図５、図６に示すように、前記固定部１０ｃと接続部１２ｃとの間にヒンジ１２１が設けられ、該固定部１０ｃと接続部１２ｃとは、該ヒンジ１２１を介して、枢動可能に連結される。
【００１６】
図７、図８に示すように、本考案に係る車用ティッシュボックス取付具の第４実施形態において、前記接続部１２ｄにおける前記固定部１０ｄが設置される一端の反対端に、フック状のストッパー１５が設けられ、該ストッパー１５が、前記ティッシュボックス２０の挿通部２１の抜け防止のために用いられる。
【００１７】
図１、図３、図５、図７は、本考案に係る車用ティッシュボックス設置装置の複数の実施形態を示すものであり、該車用ティッシュボックス設置装置は、前記車用ティッシュボックス取付具及びティッシュボックス２０を含み、該ティッシュボックス２０は、ティッシュ４０を収容するために用いられると共に、挿通部２１を有し、該挿通部２１が、前記車用ティッシュボックス取付具の接続部１２ａ〜１２ｄ上に装設されるために用いられる。
【００１８】
図９、図１１、図１２、図１４、図１５に示すように、本考案に係る車用ティッシュボックス設置装置は、ヘッドレスト３１のステー３１１が固定部１０ａ〜１０ｄの取付穴１１に挿設されることによって座席のシートバック３０とヘッドレスト３１との間に固設されている車用ティッシュボックス取付具と、該車用ティッシュボックス取付具の接続部１２ａ〜１２ｄ上に挿設されている、ティッシュ４０を収容するティッシュボックス２０とを介して、運転席と助手席との間に設置されることができ、これにより、運転者と乗員の双方がティッシュ４０を取り出す時の便利さを向上させることができる。
【００１９】
図９、図１１、図１２、図１４、図１５を参照し、本考案に係る車用ティッシュボックス設置装置を設置する時、まず、自動車シートのヘッドレスト３１をシートバック３０から外して、該車用ティッシュボックス設置装置の車用ティッシュボックス取付具の固定部１０ａ〜１０ｄを当該シートバック３０の上方に置き、次に、当該ヘッドレスト３１のステー３１１を、該固定部１０ａ〜１０ｄの二つの取付穴１１に挿入して、当該車用ティッシュボックス取付具を当該シートバック３０上に固定させ、最後に、ティッシュ４０が入った前記ティッシュボックス２０の挿通部２１を、当該車用ティッシュボックス取付具の接続部１２ａ〜１２ｄ上に装設すれば、本考案の車用ティッシュボックス設置装置の取付作業が完成する。
【００２０】
図２、図４、図６、図８に示すように、本考案に係る車用ティッシュボックス取付具は、その固定部１０ａ〜１０ｄの取付穴１１が長穴形状に形成されることにより、異なる車種や、異なるヘッドレストのステー３１１のピッチを持つ自動車シートに対応することができるので、前記車用ティッシュボックス設置装置の汎用性を高める。
【００２１】
図１、図３、図５に示すように、本考案に係る車用ティッシュボックス設置装置の第１実施形態から第３実施形態では、前記ティッシュボックス２０の挿通部２１が前記車用ティッシュボックス取付具の接続部１２ａ〜１２ｃに装設されると、当該接続部１２ａ〜１２ｃ状の滑り止め構造１３が、当該ティッシュボックス２０の挿通部２１に押し広げられるように挿入され、それに加え、該滑り止め構造１３の凸条１３２或は凸起１３３及び滑り止めユニット１３１により、より大きな摩擦抵抗が発生し、これにより、該ティッシュボックス２０が、車両の走行振動で該接続部１２ａ〜１２ｃから脱落することが防止される。図７に示す、本考案に係る車用ティッシュボックス設置装置の第４実施形態において、前記車用ティッシュボックス取付具のストッパー１５は、前記ティッシュボックス２０の挿通部２１を係止することにより、該ティッシュボックス２０が前記接続部１２dから抜け落ちることを防止する。
【００２２】
尚、本考案に係る車用ティッシュボックス設置装置は、使用者のティッシュ４０の取り出し癖に応じて、ティッシュボックス２０の設置位置及び設置方向を任意に調整することが可能となり、以下、各実施形態について個別に説明する。
【００２３】
本考案に係る車用ティッシュボックス設置装置の第１実施形態を例として、図１、図９、図１０を参照しながら説明する。まず、図９を参照し、使用者はティッシュ４０を上から取り出すのに慣れている場合、前記ティッシュボックス２０を上向きに、前記接続部１２ａの上方に設置すればよく、また、図１０を参照し、使用者はティッシュ４０を下から取り出すのに慣れている場合、該ティッシュボックス２０を下向きに、該接続部１２ａの下方に設置すればよい。
【００２４】
本考案に係る車用ティッシュボックス設置装置の第２実施形態を例として、図３、図１１、図１２、図１３を参照しながら説明する。使用者は前記車用ティッシュボックス取付具を取り付ける際に、前記接続部１２ｂを上向き又は下向きに設置することにより、前記ティッシュボックス２０の設置位置を調整する。まず、図１２を参照し、前記車用ティッシュボックス取付具の接続部１２ｂを上向きに設置すれば、前記ティッシュボックス２０は自動車シートのヘッドレスト３１の横に位置し、一方で、図１３を参照し、該車用ティッシュボックス取付具の接続部１２ｂを下向きに設置すれば、該ティッシュボックス２０は自動車シートのシートバック３０の横に位置する。
【００２５】
本考案に係る車用ティッシュボックス設置装置の第３実施形態を例として、図５、図１４を参照しながら説明する。使用者は、前記接続部１２ｃを前記固定部１０ｃに対して枢動させれば、自分の好みに合わせて、該接続部１２ｃと固定部１０ｃとの間の角度を調整することにより、前記ティッシュボックス２０の設置位置を変更することができる。
【００２６】
本考案に係る車用ティッシュボックス設置装置の第４実施形態を例として図７、図１５を参照しながら説明する。前記車用ティッシュボックス取付具を取り付ける際に、自分の好みに合わせて、前記接続部１２ｄ末端のストッパー１５を上向き又は下向きに設置して、前記ティッシュボックス２０の設置方向を調整する。
【００２７】
上述した技術特徴によれば、本考案に係る車用ティッシュボックス設置装置は、ヘッドレスト３１のステー３１１が固定部１０ａ〜１０ｄの取付穴１１に挿設されることによって座席のシートバック３０とヘッドレスト３１との間に固設されている車用ティッシュボックス取付具と、該車用ティッシュボックス取付具の接続部１２ａ〜１２ｄ上に挿設されている、ティッシュ４０を収容するティッシュボックス２０とを介して、運転席と助手席との間に設置されることができ、これにより、運転者と乗員の双方がティッシュ４０を取り出す時の便利さを向上させる。
【符号の説明】
【００２８】
１０ａ〜１０ｄ  固定部
１１  取付穴
１２ａ〜１２ｄ  接続部
１２１  ヒンジ
１３  滑り止め構造
１３１  滑り止めユニット
１３２  凸条
１３３  凸起
１４  補強リブ
１５ストッパー
２０  ティッシュボックス
２１  挿通部
３０  シートバック
３１  ヘッドレスト
３１１  ステー
４０  ティッシュ
【図１】
0003232238.tif 000003
【図２】
0003232238.tif 000004
【図３】
0003232238.tif 000005
【図４】
0003232238.tif 000006
【図５】
0003232238.tif 000007
【図６】
0003232238.tif 000008
【図７】
0003232238.tif 000009
【図８】
0003232238.tif 000010
【図９】
0003232238.tif 000011
【図１０】
0003232238.tif 000012
【図１１】
0003232238.tif 000013
【図１２】
0003232238.tif 000014
【図１３】
0003232238.tif 000015
【図１４】
0003232238.tif 000016
【図１５】
0003232238.tif 000017